(57)【要約】【課題】自然換気回数を考慮して、低コストかつ現在の気候に対して適切に機械換気量の制御を行える換気制御装置を提供することを目的とする。【解決手段】換気制御装置は、空調機が送信する暖房モード信号の受信を確認した場合には現在の自然換気回数を換気制御装置内に記憶されている自然換気回数に設定し、暖房モード信号の受信を確認できない場合には現在の自然換気回数を０．０回／ｈと設定する。現在の自然換気設定後に、換気制御装置は、住宅の必要換気回数から現在の自然換気回数分を減じた換気回数を機械換気回数として設定し、設定された機械換気回数に合わせて換気装置の換気風量を制御する。【選択図】図３
2015010741.tif 000002
【特許請求の範囲】
【請求項１】
暖房手段を有する建物内の部屋に屋外の空気を強制的に給気する給気手段と、前記給気手段との間に換気経路が形成され屋内の空気を屋外に強制的に排気する排気手段と、をそれぞれ制御する換気制御装置において、
予め設定された単位時間当たりの必要換気回数と前記暖房手段の運転状況に応じて設定された自然換気回数に基づき、機械換気回数を設定し、前記給気手段および前記排気手段の少なくとも一方を当該機械換気回数になるよう機械換気量を制御することを特徴とする換気制御装置。
【請求項２】
前記機械換気回数は、前記必要換気回数より前記自然換気回数を減じた換気回数に設定することを特徴とする請求項１に記載の換気制御装置。
【請求項３】
前記暖房手段が暖房運転を実行している場合には、前記自然換気回数を前記建物の気密性能に応じた換気回数に設定し制御することを特徴とする請求項１または２に記載の換気制御装置。
【請求項４】
前記暖房手段の暖房運転の連続運転時間を測定するタイマーを有しており、前記暖房手段が暖房運転を実行している場合かつ、前記タイマーが測定している前記連続運転時間が室内の温度上昇量に対応して予め設定された時間を経過した場合には、前記自然換気回数を前記建物の気密性能に応じた換気回数に設定し制御することを特徴とする請求項１または２に記載の換気制御装置。
【請求項５】
前記暖房手段は、前記室内の温度を検知する既存の温度検知手段を有しており、前記換気制御装置は、前記暖房手段が暖房運転を実行している場合かつ、前記温度検知手段で検知した温度が前記暖房手段の設定室内温度に対応して予め設定された温度以上になった場合には、前記自然換気回数を前記建物の気密性能に応じた換気回数に設定し制御することを特徴とする請求項１または２に記載の換気制御装置。
【請求項６】
前記換気制御装置は、前記自然換気回数を前記建物の気密性能に応じた換気回数に設定する条件を満たさない場合は、前記自然換気回数を０．０回／ｈと設定し制御することを特徴とする請求項３から５いずれかに記載の換気制御装置。
【請求項７】
暖房手段を有する部屋に屋外の空気を強制的に給気する給気手段と、
前記給気手段との間に換気経路が形成され屋内の空気を屋外に強制的に排気する排気手段と、
前記給気手段および前記排気手段をそれぞれ制御する請求項１から６いずれかに記載の換気制御装置と、
を有することを特徴とする換気システム。
【請求項８】
暖房手段と、
前記暖房手段を有する部屋に屋外の空気を強制的に給気する給気手段と、
前記給気手段との間に換気経路が形成され屋内の空気を屋外に強制的に排気する排気手段と、
前記給気手段および前記排気手段をそれぞれ制御する請求項１から６いずれかに記載の換気制御装置と、
を備えたことを特徴とする建物。
【発明の詳細な説明】
【技術分野】
【０００１】
本発明は、建物内の換気量を制御する換気制御装置、前記換気量制御装置を有した換気システムおよび建物に関する。
【背景技術】
【０００２】
近年、建材や家具等に含まれるホルムアルデヒドやＶＯＣ（揮発性有機化合物）を排出する目的で、住宅等の居室では必要換気回数０．５回／ｈ以上の換気量を満足できるよう常時一定換気量で強制的に換気を行う２４時間換気装置の設置が建築基準法によって義務付けられている。以後、この２４時間換気装置による換気を機械換気と称する。
【０００３】
ここで換気回数とは単位時間あたりに何回室内の空気が入れ替わったかを表す指標である。例えば、換気回数０．５回／ｈは居室容積の５０％に相当する体積の空気を１時間で換気することを示している。
【０００４】
また、住宅の換気には機械換気の他にも住宅の換気口以外の隙間から侵入または放出される自然換気が存在する。この自然換気の換気量は住宅の室内外温度差と住宅の気密性能を表す指数であるＣ値により変動することが知られている。特に冬季は室内が暖房装置により暖房されるため室内外温度差が夏季に比べて大きくなることから自然換気量も多くなる。具体的には冬季の自然換気量は一般的にＣ値が２ｃｍ２／ｍ２以下の場合の自然換気回数は約０．１回／ｈ程度、Ｃ値が２ｃｍ２／ｍ２を超える場合の自然換気回数は約０．２回／ｈ程度を見込むことができるほど多くなる。
【０００５】
一方で、消費者の環境への意識の高まりにより、住宅の換気を省エネルギーで行う換気装置への要望が高まっている。そのため、冷暖房された室内空気を換気することで生じるエネルギー損失を低減するために、必要最低限の換気量で運転する２４時間換気装置が求められている。
【０００６】
しかし、２４時間換気装置は機械換気量を一定に保つものが一般的であり、機械換気量は常に建築基準法で定められた換気回数を夏季の温度差が小さい場合でも満足するために自然換気量を考慮せずに設定されている。そのため、自然換気量が大きい冬季にも、２４時間換気装置は夏季と同じ自然換気量を考慮していない機械換気量で運転するため、住宅全体の換気量は必要以上に大きくなり、換気によるエネルギー損失も増大する。
【０００７】
そこで、冬季の機械換気回数を、住宅の換気を常に必要最低限の換気回数である必要換気回数から自然換気回数だけ減じた換気回数にすることにより、省エネルギーで換気を行う換気装置が従来存在する。（例えば特許文献１，２参照）
【０００８】
【特許文献１】特開２００５−９８５７３号公報
【特許文献２】特許第４４８４４２８号公報
【発明の概要】
【発明が解決しようとする課題】
【０００９】
しかし、特許文献１の換気装置は、自然換気回数を求めるために室内の温度を検知する室内温度センサーおよび屋外の温度を検知する室外温度センサーを換気装置に新しく設けているため、コスト増といった問題が挙げられる。
【００１０】
特許文献２の換気構造では、必要換気量から過去の気象データ等から推測した年間の自然換気回数を減じることによって導出される年間の給気量を予め設定し、換気装置を制御するコンピュータシステムが自身に設けられたタイマーを用いて予め設定した給気量から現在の給気量を決定し制御することで、温度センサーを省略している。
【００１１】
しかし、給気量を予め設定しているため、暖冬などの異常気象は過去の気象データ等から推測できない。そのため、例年は自然換気回数が生じるほど自然換気量が多いが、現在の気候が例年よりも暖かく自然換気量が少なく自然換気回数が生じていない場合でも、コンピュータシステムは自動的に例年通り給気量を減じてしまう。そのため、機械換気量を現在の気候に対して適切に制御することができない。
【００１２】
本発明は、上記のような課題を解決するためになされたもので、自然換気回数を考慮して、低コストかつ現在の気候に対して適切に機械換気量の制御を行える換気制御装置、換気システムおよび建物を提供することを目的とする。
【課題を解決するための手段】
【００１３】
第１の発明の換気制御装置は、暖房手段を有する建物内の部屋に屋外の空気を強制的に給気する給気手段と、前記給気手段との間に換気経路が形成され屋内の空気を屋外に強制的に排気する排気手段と、をそれぞれ制御する換気制御装置において、予め設定された単位時間当たりの必要換気回数と前記暖房手段の運転状況に応じて設定された自然換気回数に基づき、機械換気回数を設定し、前記給気手段および前記排気手段の少なくとも一方を当該機械換気回数になるよう機械換気量を制御することを特徴としている。
【００１４】
第２の発明の換気システムは、暖房手段を有する部屋に屋外の空気を強制的に給気する給気手段と、前記給気手段との間に換気経路が形成され屋内の空気を屋外に強制的に排気する排気手段と、前記給気手段および前記排気手段をそれぞれ制御する前記第１の発明に記載の換気制御装置と、を有することを特徴としている。
【００１５】
第３の発明の建物は、暖房手段と、前記暖房手段を有する部屋に屋外の空気を強制的に給気する給気手段と、前記給気手段との間に換気経路が形成され屋内の空気を屋外に強制的に排気する排気手段と、前記給気手段および前記排気手段をそれぞれ制御する請求項１から６いずれかに記載の換気制御装置と、を備えたことを特徴としている。
【発明の効果】
【００１６】
本発明の換気制御装置，換気システムならびに建物は、予め設定された建物の単位時間当たりの必要換気回数と、暖房手段の運転状況に応じて設定した自然換気回数に基づき、機械換気回数を設定し、給気手段および排気手段の少なくとも一方を当該機械換気回数になるよう機械換気量を制御することで、換気装置に温度センサーが不要となり、低コストで機械換気量の制御が可能である。さらに、予め室内外の温度差を想定する必要もないので、現在の気候に対して適切に機械換気量を制御することが可能である。
【図面の簡単な説明】
【００１７】
【図１】本発明に係る気密住宅１の間取りの一例の平面図。
【図２】本発明の実施の形態１に係る換気システムの概略図。
【図３】本発明の実施の形態１に係る制御フローチャート図。
【図４】本発明の実施の形態２に係る換気システムの概略図。
【図５】本発明の実施の形態２に係る制御フローチャート図。
【図６】本発明の実施の形態３に係る換気システムの概略図。
【図７】本発明の実施の形態３に係る制御フローチャート図。
【発明を実施するための形態】
【００１８】
実施の形態１
以下、本発明の実施の形態１について図面を参照しながら説明する。図１は、本発明に係る気密住宅１の間取りの一例の平面図、図２は実施の形態１に係る換気システムの概略図である。
【００１９】
気密住宅１の内部は洋室ＲＡ１、廊下兼玄関ＲＡ２、洗面室ＲＡ３、浴室ＲＡ４およびトイレＲＡ５の複数の部屋に分割されている。また、各部屋の出入口であるドア６ａ，６ｂ，６ｃ，６ｄはアンダーカット等の通気開口部が設けられ、通気開口部を介して各部屋の空気は相互に連通している。
【００２０】
浴室ＲＡ４およびトイレＲＡ５は空気が汚れやすい空間であるため、２４時間換気装置である排気用換気装置２ａ，２ｂが浴室ＲＡ４およびトイレＲＡ５の壁面に屋外ＯＡと室内を連通するようにそれぞれ設けられている。また、排気用換気装置２ａ，２ｂは排気用モータ（図示省略）と排気用モータの回転軸に接続された排気用ファン（図示省略）を備えており、排気用モータの回転軸と排気用ファンが回転することにより、排気用換気装置２ａ，２ｂは図１の白抜きの矢印のように浴室ＲＡ４およびトイレＲＡ５の空気をそれぞれ屋外ＯＡへ強制的に排出する構成となっている。また、排気用モータの回転数は後述する換気制御装置５の制御信号によって調整することができ、それに伴い排気用換気装置２ａ，２ｂの風量も調整することができる。
【００２１】
洋室ＲＡ１は居室であり、２４時間換気装置である給気用換気装置３が洋室ＲＡ１の壁面に洋室ＲＡ１と屋外ＯＡを連通するように設けられている。また、給気用換気装置３は給気用モータ（図示省略）と給気用モータの回転軸に接続された給気用ファン（図示省略）を備えており、給気用モータの回転軸と給気用ファンが回転することにより、給気用換気装置３は黒塗りの矢印のように屋外ＯＡの空気を洋室ＲＡ１へ強制的に給気する構成となっている。また、給気用モータの回転数は後述する換気制御装置５の制御信号によって調整することができ、それに伴い給気用換気装置３の風量も調整することができる。
【００２２】
ドア６ａ，６ｂ，６ｃ，６ｄの通気開口部により各部屋の空気は相互に連通しているため、各部屋を流路とした給気用換気装置３から排気用換気装置２ａ，２ｂまでの換気経路が気密住宅１内に形成され、この換気経路に沿って気密住宅１全体の機械換気が行われる。
【００２３】
空調機４は冷暖房を行う装置であり、空調機４は洋室ＲＡ１の壁面に設けられている。空調機４の動作は、暖房モード、冷房モードと称する２つのモードに分けられる。暖房モードでは空調機４は洋室ＲＡ１の空気を吸引し、空調機４内部の熱交換器（図示省略）により吸引した空気を加熱し、加熱した空気を洋室ＲＡ１へ吹出すことで洋室ＲＡ１の空気を暖める。また、冷房モードでは空調機４は洋室ＲＡ１の空気を吸引し、空調機４内部の熱交換器（図示省略）により吸引した空気を吸熱し、吸熱した空気を洋室ＲＡ１へ吹出すことで洋室ＲＡ１の空気を冷やす。また、空調機４は暖房モードで運転している場合には、暖房モード信号を後述する換気制御装置５に送信する。
【００２４】
空調機４により冷暖房された洋室ＲＡ１の空気は換気経路に沿って廊下兼玄関ＲＡ２、洗面室ＲＡ３、浴室ＲＡ４およびトイレＲＡ５へ流れていくため、空調機４によって気密住宅１全体の冷暖房を行うことができる。
【００２５】
また、冬季は室内が暖房装置により暖房されるため室内外温度差が夏季に比べて大きくなることから、自然換気回数を見込むことができるほど自然換気量は多くなる。この気密住宅１の暖房装置は、暖房モード運転時の空調機４にあたる。つまり、気密住宅１の場合は空調機４が暖房モードで運転している場合は、自然換気回数を見込むことができるほど自然換気量が多いと判断することが可能である。
【００２６】
換気制御装置５は少なくとも受信部５ａ、記憶部５ｂ、制御部５ｃ、送信部５ｄで構成されている。なお、換気制御装置５は受信部５ａが空調機４と、送信部５ｄが排気用換気装置２ａ，２ｂおよび給気用換気装置３と有線または無線で接続できる場所に配置される。
【００２７】
受信部５ａは受信部５ａと接続している機器からの信号を受信する部分であり、空調機４の暖房モード信号を受信する。
【００２８】
記憶部５ｂは制御に用いる情報を記録する部分であり、予め設定された気密住宅１の必要換気回数と空調機４が暖房モードで運転している場合における自然換気回数を記憶する。必要換気回数は気密住宅１の使用状況によって建築基準法に定められている換気回数を、自然換気回数は気密住宅１の気密性能に応じて設定される。本実施の形態では必要換気回数を建築基準法に居室の必要換気量として規定されている０．５回／ｈに、自然換気回数は気密住宅１の気密性能を表すＣ値が２ｃｍ２／ｍ２以下の場合に一般的な自然換気回数である０．１回／ｈとそれぞれ設定する。
【００２９】
制御部５ｃは空調機４の運転状況と記憶部５ｂに記憶されている情報に基づき送信部５ｄと接続している機器の制御信号を作成する部分である。本実施例の場合、空調機４の運転状況は受信部５ａで受信した暖房モード信号の有無に相当し、制御部５ｃは暖房モード信号の有無と記憶部５ｂに記憶している必要換気回数および自然換気回数に基づき排気用換気装置２ａ，２ｂおよび給気用換気装置３の風量制御信号を作成する。
【００３０】
送信部５ｄは制御部５ｃで作成した制御信号の信号を送信部５ｄと接続している機器に送信する部分であり、制御部５ｃで作成した風量制御信号を排気用換気装置２ａ，２ｂおよび給気用換気装置３に送信する。
【００３１】
次に換気制御装置５による排気用換気装置２ａ，２ｂおよび給気用換気装置３の制御について説明を行う。図３は本発明の実施の形態１における制御フローチャート図である。
図３のフローチャート図の制御は排気用換気装置２ａ，２ｂおよび給気用換気装置３の動作開始と同時に始まり、排気用換気装置２ａ，２ｂおよび給気用換気装置３が動作している間は常に制御を行っている。
【００３２】
制御開始後、まず、ステップＳ１０１では、制御部５ｃは空調機４から送信される暖房モード信号を受信部５ａが受信しているかを確認する。
【００３３】
次にステップＳ１０１において、制御部５ｃが暖房モード信号の受信を確認した場合には、制御部５ｃは記憶部５ｂに記憶されている自然換気回数を取得し、現在の自然換気量として設定する。本実施例の場合、空調機４が暖房モードで運転している場合における自然換気回数を０．１回／ｈと設定しているため、制御部５ｃは現在の自然換気回数を０．１回／ｈと設定する。（ステップＳ１０２）
【００３４】
一方、ステップＳ１０１において、制御部５ｃが暖房モード信号の受信を確認できない場合には、記憶部５ｂに記憶されている自然換気回数を現在の自然換気量として設定する条件を満たしていないため、制御部５ｃは現在の自然換気回数は０．０回／ｈであると設定する（ステップＳ１０３）。
【００３５】
次にステップＳ１０４では、制御部５ｃは、記憶部５ｂに記憶されている気密住宅１の必要換気回数を取得し、ステップＳ１０２若しくはステップＳ１０３にて設定された現在の自然換気回数を取得した必要換気回数から差し引いた値を機械換気回数として設定する。本実施例では、必要換気回数を０．５回／ｈと設定しており、ステップＳ１０２を経由した場合には現在の自然換気回数は０．１回／ｈと設定しているため、機械換気回数は０．４回／ｈに、ステップＳ１０３を経由した場合には現在の自然換気回数は０．０回／ｈと設定しているため、機械換気回数は０．５回／ｈにそれぞれ設定される。
【００３６】
次にステップＳ１０５では、制御部５ｃは排気用換気装置２ａ，２ｂおよび給気用換気装置３がステップＳ１０４で設定した機械換気回数を満足する風量になるよう、それぞれの換気装置に対する制御信号を作成し、送信部５ｄより排気用換気装置２ａ，２ｂおよび給気用換気装置３に送信する。本実施例では、気密住宅１に排気用換気装置が２台、給気用換気装置が１台備えられているため、給気用換気装置３はステップＳ１０４で設定された機械換気回数に相当する風量で、排気用換気装置２ａ、２ｂは２台の合計風量がステップＳ１０４で設定された機械換気回数に相当する風量で運転するよう制御される。
【００３７】
ステップＳ１０５実行後は再びステップＳ１０１の動作の実行に移り、以上の制御が繰り返し行われる。
【００３８】
このように実施の形態１における換気制御装置５は、室内外温度差が生じる根本的な要因であり空調機４の運転状況である空調機４の暖房運転の実行の有無によって現在の自然換気回数を設定しているため、暖冬など過去の気象データより予測できない異常気象にも対応でき、現在の気候に対して適切に機械換気量を制御する制御装置である。また、本制御方法は温度センサーを用いていないため、低コストで、気密住宅１の必要換気回数を満足したまま機械換気回数を最小限にすることができる。
【００３９】
実施の形態２
以下、本発明の実施の形態２について図面を参照しながら説明する。
図４は実施の形態２に係る換気システムの概略図である。図４の換気システムの構成は図２の換気システムの構成を基本としており、換気制御装置５の制御部５ｃ内へ新たにタイマー５ｅを追加した構成となっている。
【００４０】
タイマー５ｅは受信部５ａで暖房モード信号を受信している時間を、連続運転時間Ｔ１として計測している。一方で受信部５ａが暖房モード信号を受信していない場合には、タイマー５ｅは連続運転時間Ｔ１の値をリセットする。つまり、空調機４の暖房モードによって連続的に動作している時間をタイマー５ｅにより連続運転時間Ｔ１として測定しているので、空調機４がどれだけの時間暖房モードで連続的に運転しているかを測定することができる。
【００４１】
実施の形態２における記憶部３ｂには、気密住宅１の必要換気回数と空調機４が暖房モードで運転している場合における自然換気回数の他に、暖まり時間Ｔ２が予め設定、記憶されている。
【００４２】
暖まり時間Ｔ２は、気密住宅１が自然換気回数を見込めるほど室内外温度差が生じるまでに必要な暖房運転時間を設定するものである。暖まり時間Ｔ２は、気密住宅１の気積と、空気の比熱と、記憶部３ｂに記憶されている自然換気回数を見込むための室内外温度差に達するまでに必要な温度上昇量と、の積算により必要エネルギー量を求め、その必要エネルギー量を空調機４の単位時間当たりの暖房性能で除算することで、求められる。気密住宅１の気積、空気の比熱および空調機４の単位時間当たりの暖房性能は、気密住宅１と空調機４を変更しない限り一定であるため、暖まり時間Ｔ２は温度上昇量に応じて設定することができる。
【００４３】
また、気密住宅１内の空気は機械換気によって絶えず入れ替わっているため、空調機４で冷房しない限り室内温度は室外温度よりも低くなることはない。そのため、温度上昇量を少なくとも住宅の気密度と記憶部３ｂに記憶されている自然換気回数に応じて決まる室内外温度差に設定すれば、必ず記憶部３ｂに記憶されている自然換気回数が見込める室内外温度差になるため、外気温度を測定しなくとも、最低限の暖まり時間Ｔ２を設定することができる。
【００４４】
さらに、実施の形態２における制御部３ｃは、空調機４の運転状況に相当する暖房モード信号の有無とタイマー５ｅで測定される連続運転時間Ｔ１や、記憶部５ｂに記憶されている暖まり時間Ｔ２と必要換気回数と自然換気回数に基づき排気用換気装置２ａ，２ｂおよび給気用換気装置３の制御命令を作成している。
【００４５】
次に実施の形態２における具体的な換気制御装置５による排気用換気装置２ａ，２ｂおよび給気用換気装置３の制御について説明を行う。図５は本発明の実施の形態２における制御フローチャート図である。図５のフローチャート図の制御は、実施の形態１と同じく、排気用換気装置２ａ，２ｂおよび給気用換気装置３が動作を開始するのと同時に開始を行い、排気用換気装置２ａ，２ｂおよび給気用換気装置３が動作している間は常に制御を行っている。
【００４６】
制御開始後、まず、ステップＳ２０１では、制御部５ｃは空調機４から送信される暖房モード信号を受信部５ａが受信しているかを確認する。
【００４７】
次にステップＳ２０１において、制御部５ｃが暖房モード信号の受信を確認した場合には、制御部５ｃ内のタイマー５ｅは連続運転時間Ｔ１をカウントする（ステップＳ２０２）。
【００４８】
一方、ステップＳ２０１において、タイマー５ｅが暖房モード信号の受信を確認できない場合には、タイマー５ｅは連続運転時間Ｔ１をリセットする。（ステップＳ２０３）
【００４９】
次にステップＳ２０４では、制御部５ｃはタイマー５ｅで計測している連続運転時間Ｔ１と記憶部５ｂに記憶されている暖まり時間Ｔ２をそれぞれ取得し、比較する。
【００５０】
ステップＳ２０４において、連続運転時間Ｔ１が暖まり時間Ｔ２以上の場合には、制御部５ｃは記憶部５ｂに記憶されている冬季の暖房使用時における自然換気回数を取得し、現在の自然換気量として設定する。（ステップＳ２０５）
【００５１】
一方、ステップＳ２０４において、連続運転時間Ｔ１が暖まり時間Ｔ２未満の場合には、記憶部５ｂに記憶されている自然換気回数を現在の自然換気量として設定する条件を満たしていないため、制御部５ｃは現在の自然換気回数は０．０回／ｈであると設定する（ステップＳ２０６）。
【００５２】
次にステップＳ２０７では、実施の形態１のステップＳ１０４と同様に、制御部５ｃは、記憶部５ｂに記憶されている気密住宅１の必要換気回数を取得し、ステップＳ２０４若しくはステップＳ２０６にて設定された現在の自然換気回数を取得した必要換気回数から差し引いた値を機械換気回数として設定する。
【００５３】
次にステップＳ２０８では、実施の形態１のステップＳ１０５と同様に、制御部５ｃは排気用換気装置２ａ，２ｂおよび給気用換気装置３がステップＳ２０７で設定した機械換気回数を満足する風量になるよう、それぞれの換気装置に対する制御信号を作成し、送信部５ｄより排気用換気装置２ａ，２ｂおよび給気用換気装置３に送信する。
【００５４】
ステップＳ２０８実行後は再びステップＳ２０１の実行に移り、以上の制御が繰り返し行われる。
【００５５】
なお、実施の形態２において空調機４の連続運転時間Ｔ１を測定するタイマー５ｅは制御部５ｃ内に設けられているが、これに限らず、例えば空調機４内に設けても良い。また、タイマー４ｅを空調機４内に設けた場合は、空調機４は暖房モード信号の代わりに連続運転時間Ｔ１の値を示す信号を換気制御装置５に送信することで、制御部５ｃが判断に用いる運転状況はこの連続運転時間Ｔ１の値を示す信号のみでよいことになる。
【００５６】
このように実施の形態２における換気制御装置５は、空調機４の運転状況に空調機４の連続運転時間Ｔ１を追加して、自然換気回数を見込めるか判断している。そのため、実施の形態１と同様の効果が得られるほか、実施の形態１で想定される、室内外温度差が小さく自然換気量が少ないにも係らず機械換気量を減らしてしまい、気密住宅１の換気回数が必要換気回数を満たないという事象を回避でき、正確に気密住宅１の必要換気回数を満足させることができる。
【００５７】
実施の形態３
図６は実施の形態３に係る換気システムの概略図である。図６の換気システムの構成は図２の換気システムの構成を基本としており、空調機４内に設けられている既存の温度センサー４ａを新たに利用した構成となっている。
【００５８】
温度センサー４ａは室内温度を検知するものであり、空調機４の室内空気吸込み部近辺に取り付けられている。一般的な空調機４は温度センサー４ａで検知した室内温度ｔ３とユーザーの設定した設定室内温度ｔ４とを空調機４内のマイコン（図示省略）が比較しつつ運転することで室内温度ｔ３を制御している。そのため、一般的な空調機４に温度センサー４ａは必要不可欠である。
【００５９】
また、実施の形態３の空調機４は、暖房モード信号の他に、温度センサー４ａで検知した室内温度ｔ３およびユーザーの設定した設定室内温度ｔ４をそれぞれ換気制御装置５へ送信を行う。
【００６０】
さらに、実施の形態３における制御部３ｃは、空調機４の運転状況に相当する暖房モード信号の有無，室内温度ｔ３および設定室内温度ｔ４や、記憶部５ｂに記憶されている必要換気回数および自然換気回数に基づき、排気用換気装置２ａ，２ｂおよび給気用換気装置３の制御命令を作成している。
【００６１】
次に実施の形態３における換気制御装置５による排気用換気装置２ａ，２ｂおよび給気用換気装置３の制御について説明する。図７は本発明の実施の形態３における制御フローチャート図である。図７のフローチャート図の制御は、実施の形態１と同じく排気用換気装置２ａ，２ｂおよび給気用換気装置３が動作を開始するのと同時に開始を行い、排気用換気装置２ａ，２ｂおよび給気用換気装置３が動作している間は常に制御を行っている。
【００６２】
制御開始後、まず、ステップＳ３０１では、制御部５ｃは空調機４から送信される暖房モード信号を受信部５ａが受信しているかを確認する。
【００６３】
次にステップＳ３０１において、制御部５ｃが暖房モード信号の受信を確認した場合、制御部５ｃは受信部５ａより空調機４から送信された室内温度ｔ３および設定室内温度ｔ４をそれぞれ取得し、室内温度ｔ３と設定室内温度ｔ４の比較を行う。（ステップＳ３０２）
【００６４】
ステップＳ３０２において、室内温度ｔ３が設定室内温度ｔ４以上の場合には、制御部５ｃは記憶部５ｂに記憶されている冬季の暖房使用時における自然換気回数を取得し、現在の自然換気量として設定する。（ステップＳ３０３）
【００６５】
対して、ステップＳ３０１において、制御部５ｃが暖房モード信号の受信を確認できない場合や、ステップＳ３０２において、室内温度ｔ３が設定室内温度ｔ４未満の場合には、記憶部５ｂに記憶されている自然換気回数を現在の自然換気量として設定する条件を満たしていないため、制御部５ｃは現在の自然換気回数は０．０回／ｈであると設定する（ステップＳ３０４）。
【００６６】
次にステップＳ３０５では、実施の形態１のステップＳ１０４と同様に、制御部５ｃは、記憶部５ｂに記憶されている気密住宅１の必要換気回数を取得し、ステップＳ３０３若しくはステップＳ３０４にて設定された現在の自然換気回数を、取得した必要換気回数から差し引いた値を機械換気回数として設定する。
【００６７】
次にステップＳ３０６では、実施の形態１のステップＳ１０５と同様に、制御部５ｃは排気用換気装置２ａ，２ｂおよび給気用換気装置３がステップＳ３０５で設定した機械換気回数を満足する風量になるよう、それぞれの換気装置に対する制御信号を作成し、送信部５ｄより排気用換気装置２ａ，２ｂおよび給気用換気装置３に送信する。
【００６８】
ステップＳ３０６実行後は再びステップＳ３０１の実行に移り、以上の制御が繰り返し行われる。
【００６９】
なお、実施の形態３において空調機４は換気制御装置５へ暖房モード信号，室内温度ｔ３および設定室内温度ｔ４を送信するが、それに限らず、例えば室内温度ｔ３と設定室内温度ｔ４の比較を空調機４内で行い、室内温度ｔ３が設定室内温度ｔ４以上の場合に特定の信号を換気制御装置５に送信し、制御部５ｃはその特定の信号の有無によって自然換気回数を設定するなど、室内温度ｔ３と設定室内温度ｔ４の比較ができれば良い。その場合、制御部５ｃが判断に用いる運転状況は前記の特定の信号のみでよい。
【００７０】
また、実施の形態３において室内温度ｔ３と設定室内温度ｔ４を比較しているが、室内温度ｔ３の比較対象は設定室内温度ｔ４に限らず、設定室内温度ｔ４に応じた温度と比較すればよい。例えば、ユーザーが暖房の使用する条件を日平均外気温が１５℃以下（住宅に係るエネルギーの使用の合理化に関する建築主等及び特定建築物の所有者の判断の基準（平成１８年経済産業省・国土交通省告示第３号）より参照）であり、気密住宅１は温度差ｘ℃で記憶部３ｂに記憶されている自然換気回数分の自然換気が発生すると仮定する。この仮定では少なくとも室内温度が１５＋ｘ℃以上になれば記憶部３ｂに記憶されている自然換気回数が見込める室内外温度差になるため、設定室内温度ｔ４が１５＋ｘ℃以上の場合には１５＋ｘ℃を、室内温度ｔ３と比較する温度として設定してもよい。
【００７１】
このように実施の形態３における換気制御装置５は、空調機４が暖房モードで運転しているか否かと、空調機４の温度センサー４ａが検知した室内温度ｔ３によって自然換気回数を見込めるか判断している。そのため、実施の形態１と同様の効果が得られるほか、実施の形態２よりも正確に気密住宅１内の温度を推測でき、気密住宅１の必要換気回数を満足させることができる。また、空調機４の温度センサー４ａは一般的な空調機であれば、必ず有しているため、新たに温度センサーを増設せずに実施が可能である。
【００７２】
なお、実施の形態１〜３では洋室ＲＡ１の空気の温度調整に冷房モードと暖房モードを有する空調機４を用いているが、これに限らず、例えば電気ストーブ等の洋室ＲＡ１内を暖房できる暖房機器であればよい。また、電気ストーブのように洋室ＲＡ１の空気を暖房する機能のみを有している暖房機器の場合は、暖房機器が運転していること自体が実施の形態１〜３の空調機４が暖房モードで運転していることに相当するため、暖房機器は暖房モード信号の代わりに自身の運転のＯＮ／ＯＦＦを表す信号を換気制御装置５に送信し、制御部５ｃはＯＮ／ＯＦＦを表す信号を暖房モード信号の代わりに暖房機器の運転状況として制御に用いればよい。
【００７３】
また、実施の形態１〜３では気密住宅１を対象としているが、これに限らず、室内外の温度差に応じて自然換気が生じ、暖房手段，給気手段および排気手段を有しており、暖房手段によって暖房される部屋の空気を給気手段によって給気し、給気手段と排気手段の間で換気経路が形成される建物を対象としていればよい。
【００７４】
さらに、実施の形態１〜３では換気制御装置５は機械換気量を制御する際に回転数を直接制御しているが、これに限らず、例えば配電盤等の機器に制御信号を送信し。排気用換気装置２ａ，２ｂおよび給気用換気装置３へ印加する電圧値を変更することで機械換気量を制御する等、排気用換気装置２ａ，２ｂおよび給気用換気装置３の風量を制御する手段であればよい。
【００７５】
また、実施の形態１〜３では排気用換気装置２ａ，２ｂおよび給気用換気装置３の両方とも風量制御を行っているが、排気用換気装置２ａ，２ｂのみ、または給気用換気装置３のみ風量制御を行っても良く、その場合は風量制御を行った換気装置によるエネルギー損失の削減が見込める。
【００７６】
さらに、実施の形態１〜３の排気用換気装置２ａ，２ｂおよび給気用換気装置３はそれぞれ別の部屋に設けられているが、これに限らず、例えば排気用換気装置２ａ，２ｂの代わりに排気用換気装置を洋室ＲＡ１に１台取り付ける等の、排気用換気装置と給気用換気装置の間で一連の換気経路が形成されるように排気用換気装置と給気用換気装置を設ければ良い。
【００７７】
また、実施の形態１〜３の換気制御装置５による換気量の制御は、排気用換気装置２ａ，２ｂおよび給気用換気装置３が動作している場合には常に実行されているが、これに限らず、例えば換気制御装置５に接続される手動のスイッチを設け、スイッチがオンの場合はそれぞれの実施の形態における制御を実行し、スイッチがオフの場合は機械換気回数が常に０．５回／ｈを満足する風量で排気用換気装置２ａ，２ｂおよび給気用換気装置３が動作するなど、制御の有無を選択する手段を設けても構わない。
【００７８】
さらに、実施の形態１〜３の換気制御装置５は受信部５ａ、記憶部５ｂ、制御部５ｃ、送信部５ｄより構成されているが、これに限らず、換気制御装置５は受信部５ａ、記憶部５ｂ、制御部５ｃ、送信部５ｄのそれぞれの役割を果たす１つのマイコンであっても構わない。
【符号の説明】
【００７９】
１  気密住宅、２ａ，２ｂ  排気用換気装置、３  給気用換気装置、４  空調機、４ａ  温度センサー、５  換気制御装置、５ａ  受信部、５ｂ  記憶部、５ｃ  制御部、５ｄ  送信部、５ｅ  タイマー、６ａ，６ｂ，６ｃ，６ｄ  ドア
【図１】
2015010741.tif 000003
【図２】
2015010741.tif 000004
【図３】
2015010741.tif 000005
【図４】
2015010741.tif 000006
【図５】
2015010741.tif 000007
【図６】
2015010741.tif 000008
【図７】
2015010741.tif 000009